(57)【要約】【課題】髪を巻いたヘアカーラーを固定するに際してピンを用いるものとし、ピンを探す手間を省くとともに装着する際の作業性を高くし、さらに、ヘアカーラーを巻く際の作業性も低下させないことを課題とする。【解決手段】ヘアカーラーとして、棒体により形成されるカーラー本体部と、前記カーラー本体部の端面部に設けられる、長手方向に向って形成される穴部と、細い棒状体により形成されるピン部と、前記ピン部の一端が前記カーラー本体部の前記端面部側から前記カーラー本体部の長手方向に沿った他方の端面部側に向い、かつ、前記ピン部の中心軸線が前記カーラー本体部に交わらないように前記ピン部の他端を支持する、前記穴部の長手方向にスライド可能となるように前記穴部に固定されるピン固定部とを設ける。【選択図】  図３
0003133225.tif 000002
【実用新案登録請求の範囲】
【請求項１】
棒体により形成されるカーラー本体部と
前記カーラー本体部の端面部に設けられる、長手方向に向って形成される穴部と、
細い棒状体により形成されるピン部と、
前記ピン部の一端が前記カーラー本体部の前記端面部側から前記カーラー本体部の長手方向に沿った他方の端面部側に向い、かつ、前記ピン部の中心軸線が前記カーラー本体部に交わらないように前記ピン部の他端を支持する、前記穴部の長手方向にスライド可能となるように前記穴部に固定されるピン固定部とを有するヘアカーラーであって、
前記ピン部の前記一端が、前記ピン固定部のスライドによって、前記カーラー本体部の側面に相対して所定距離だけ離れた前記カーラー本体の長手方向に平行な線分上を移動するように形成された
ヘアカーラー。
【請求項２】
前記穴部、前記ピン部及び前記ピン固定部は、前記カーラー本体部の両端に設けられる請求項１に記載のヘアカーラー。
【請求項３】
前記ピン部は、前記カーラー本体部の外周に沿って複数本平行に設けられる請求項１又は２に記載のヘアカーラー。
【請求項４】
前記カーラー本体部の端部には、前記カーラー本体部の全周にわたって半径方向外向きに突出するように形成されるフランジ部が形成され、このフランジ部には前記ピン部が貫通できる貫通孔が形成されている請求項１から３のいずれか１項に記載のヘアカーラー。
【考案の詳細な説明】
【技術分野】
【０００１】
本考案はヘアカーラーに関し、特に、髪に留める機構を有するヘアカーラーに関する。
【背景技術】
【０００２】
ヘアカーラーは、髪にウエーブをかけるために、髪を巻いて髪にくせをつけるための器具であるが、髪を巻いた状態で頭部に固定する必要がある。このための方法として、例えば下記特許文献１に記載されているように、ピンを用いて固定する方法や、下記特許文献２又は３に示すように髪を巻いたヘアカーラー全体を狭持して固定する方法などが一般的である。特に下記特許文献３に示す考案は、ヘアカーラーとヘアカーラーを狭持する部材が端部に回動自在に固定されている。
【特許文献１】特公平１−０２４４８６号公報
【特許文献２】特許第３３８３７９２号公報
【特許文献３】特開平９−２９９１３０号公報
【考案の開示】
【考案が解決しようとする課題】
【０００３】
ところで、家庭でヘアカーラーを一人で装着するような場合、上記特許文献１や特許文献２のようにヘアカーラーを留めるピン等の部材が本体と分離している構造である場合、片方の手で髪を巻いたヘアカーラーを抑えながら、ピン等を探さなければならず、また、ピン等をヘアカーラーに固定するのも鏡を見ながら行うので容易ではない。一方、上記特許文献３に示されるようにヘアカーラーを留める部材がヘアカーラーと一体に形成されている場合は、このような手間がかからず作業性がよい。しかし、髪を巻いたヘアカーラーを狭持する方法は髪を上方から圧迫するために、髪を痛めやすく望ましくない。また、髪を止める部材が回動するためにヘアカーラーを巻く動作につれて動くために、この部材が邪魔になることも多い。
本考案は、このような問題に鑑みて、髪を巻いたヘアカーラーを固定するに際してピンを用いるものとし、ピンを探す手間を省くとともに装着する際の作業性を高くし、さらに、ヘアカーラーを巻く際の作業性も低下させないことを課題とする。
【課題を解決するための手段】
【０００４】
上記課題を解決するために、本考案は次のような構成を有する。
請求項１に記載の考案は、棒体により形成されるカーラー本体部と、前記カーラー本体部の端面部に設けられる、長手方向に向って形成される穴部と、細い棒状体により形成されるピン部と、前記ピン部の一端が前記カーラー本体部の前記端面部側から前記カーラー本体部の長手方向に沿った他方の端面部側に向い、かつ、前記ピン部の中心軸線が前記カーラー本体部に交わらないように前記ピン部の他端を支持する、前記穴部の長手方向にスライド可能となるように前記穴部に固定されるピン固定部とを有するヘアカーラーであって、前記ピン部の前記一端が、前記ピン固定部のスライドによって、前記カーラー本体部の側面に相対して所定距離だけ離れた前記カーラー本体の長手方向に平行な線分上を移動するように形成されたものである。なお、カーラー本体部が筒体により形成される場合は、通常は、穴部は筒体の内部の穴により形成される。
このような構造により、ピン部がカーラー本体部の端部側から内側方向に向って、スライド可能に固定されることになるので、ピン部を端部側に移動させた状態で髪をカーラー本体部に巻き、その後、ピン部を内側に移動させることでピン部が髪の上部を押さえるか、髪に刺さることでヘアカーラーが髪を巻いた状態で固定される。
請求項２に記載の考案は、前記ヘアカーラーにおいて、前記穴部、前記ピン部及び前記ピン固定部が、前記カーラー本体部の両端に設けられるものである。
請求項３に記載の考案は、前記ヘアカーラーにおいて、前記ピン部が、前記カーラー本体部の外周に沿って複数本平行に設けられるものである。
請求項４に記載の考案は、前記ヘアカーラーにおいて、前記カーラー本体部の端部には、前記カーラー本体部の全周にわたって半径方向外側に突出するように形成されるフランジ部が形成され、このフランジ部には前記ピン部が貫通できる貫通孔が形成されているものである。
【考案の効果】
【０００５】
請求項１に記載の考案は、ピン部がカーラー本体部に固定されるので、髪をカーラー本体部に巻いた後にピンを探す必要がなく、また、そのままピン部を移動させればヘアカーラーが固定できるので、ピンを用いたヘアカーラーとして高い作業効率を確保することができる。また、ヘアカーラーを巻く方向と、ピン部の移動方向は直行するのでヘアカーラーを巻く動作によってはピン部には力が加わらずピン部が髪を巻く際の作業性を低下させることが抑制される。
請求項２に記載の考案は、前記カーラー本体部の両端でピン部がスライド可能に形成されることで、ヘアカーラーの両側で確実に髪に固定することができる。また、両端で固定することで安定するので、ピン部の長さを短くでき、ひいては、髪を巻く際にカーラー本体部の両端側に出っ張るピン部の量を少なくして、より作業性を高くすることができる。
請求項３に記載の考案は、前記ピン部を複数本設けることにより、やはり、より確実にヘアカーラーを髪に固定することができるとともに、ピン部の長さを短くして髪を巻く際にカーラー本体部の両端側に出っ張るピン部の量を少なくして作業性を高めることができる。
請求項４に記載の考案は、カーラー本体部の端部にフランジ部を設けることでカーラー本体部に髪を巻く際に髪が端部から落ちることが防がれるとともに、フランジ部にピン部を通す貫通孔を設けることで、フランジ部の存在にかかわらずピン部によってヘアカーラーを髪に留めることができる。
【考案を実施するための最良の形態】
【０００６】
以下、本考案の実施形態について、図面を参照しながら説明する。
図１に実施形態に係るヘアカーラーＸの斜視図を示し、図２に図１のＡ−Ａ断面図を示す。ヘアカーラーＸは、カーラー本体部１０、ピン部２０、ピン固定部３０、フランジ部４０とから構成される。
カーラー本体部１０は、合成樹脂性の筒状体であって長手方向に平行に形成される１２本の縦部材１１と、縦部材１１同士を連結するように外周面に沿って形成される横部材１２とにより網目状に形成されている。縦部材１１には髪を引っ掛けるため小さな突起１１ａが複数形成されている。また、縦部材１１同士の間において、両端近傍の所定範囲の横部材１１を設けない部分が係合溝１３を形成しており、この、係合溝１３はカーラー本体１０の中心軸に対象に３箇所、両端合わせて６箇所設けられている。なお、カーラー本体部１０の中央を貫く穴は後述するピン固定部３０が係合する穴部１０ａを形成する。
カーラー本体部１０の両端部には中央にカーラー本体部１０の穴部１０aと略同じ大きさの穴が設けられた円盤状のフランジ部４０がカーラー本体部１０の半径方向に張り出すように一体成型されている。各フランジ部４０には、後述するピン部２０が通ることができる貫通孔４１が１２個円周方向に沿って設けられている。
ピン部２０は、合成樹脂性の先端がやや丸くなった細長い略円錐形状をしており、前記フランジ部４０の貫通孔４１を通るようにカーラー本体部１０の長手方向に平行に複数本設けられる。
【０００７】
ピン固定部３０は、前記カーラー本体部１０の穴部１０ａに係合する外径を有する円筒により形成される筒部３１と、フランジ部４０とほぼ同じ外径を持つ中央に穴が形成された円盤部３２とから形成される。円盤部３２には各ピン部２０が固定されている。これらの筒部３１、円盤部３２、ピン部２０は合成樹脂により一体に成型されている。筒部３２には、カーラー本体部１０の係合溝１３からカーラー本体部１０の半径方向に突出するように係合突起３１ａが３箇所形成されている。係合突起３１ａはフランジ部４０と係合溝１３により動作が拘束されるので、ピン固定部３０は、係合溝１３内を係合突起３１ａが動ける範囲でカーラー本体部１０の長手方向にスライド可能に、カーラー本体部１０に固定されることとなり、ピン固定部３０の円盤部３２に固定されているピン部２０は、フランジ部４０の貫通孔４１を通って、カーラー本体部１０の端部側から内側にかけてスライド可能となる。図３（ａ）にピン部２０の先端をカーラー本体部１０の端部側に移動させた状態の正面図を示し、図３（ｂ）にピン部２０の先端をカーラー本体部１０の内側に移動させた状態の正面図を示す。
【０００８】
次に、以上のような構成を有するヘアカーラーＸの使用方法について説明する。使用者は、ピン固定部３０をカーラー本体部１０の外側に引っ張ることにより、図１、２、図３（ａ）に示すように、ピン部２０の先端をカーラー本体部１０の端部側に移動させた状態とする。次に、この状態のまま、カーラー本体部１０に髪を巻いていく。そして、必要量の髪が巻けたら、ピン固定部３０をカーラー本体部１０の内側に押すことで、図３（ｂ）に示すように、ピン固定部３０及びピン固定部３０に固定されているピン部２０をカーラー本体部１０の内側に移動させる。これにより、ピン部２０がカーラー本体部１０に巻かれた髪に刺さるか、上方から押さえることとなり、ヘアカーラーＸ全体が巻かれた髪に固定されることなる。
このような動作により、本ヘアカーラーＸは、使用に際しては、固定するためのピンを探すことなく、簡易な動作でヘアカーラーＸを髪に留めることができ、また、髪を巻く際も、ピン部２０及びピン固定部３０は、髪を巻く動作によってほとんど動くことがないので、作業性が高い。また、ピンで固定するので、髪があまり痛まず、また、カーラー本体部１０が網状になっているので、ドライヤーなどを当てる場合に、温風を内部に十分に行き渡らせることができる。
【０００９】
なお、上記実施の形態では、ピン部２０及びピン固定部３０はカーラー本体部１０の両側に設けているが、これは片側だけでもよい。この場合は、ピン部２０の長さをより長くし、これにあわせてピン固定部３０のスライド可能量を大きくすることが望ましい。また、カーラー本体１０は、上記実施形態では中空の筒体を例示したが、これは中実の棒状体でも構わない、この場合は、両端にピン固定部３０が摺動するために穴を設ければ足りる。また、ピン部２０の数は問わず、必要に応じて適宜定めることができる。
【図面の簡単な説明】
【００１０】
【図１】実施形態に係るヘアカーラーの斜視図である。
【図２】図１のＡ−Ａ断面図である。
【図３】（ａ）はピン部をカーラー本体部の端部側に移動させた状態のヘアカーラーの正面図であり、（ｂ）はピン部をカーラー本体部の内側に移動させた状態のヘアカーラーの正面図である。
【符号の説明】
【００１１】
Ｘ      ヘアカーラー
１０    カーラー本体
１０ａ  穴部
１３    係合溝
２０    ピン部
３０    ピン固定部
３１ａ  係合突起
４０    フランジ部
【図１】
0003133225.tif 000003
【図２】
0003133225.tif 000004
【図３】
0003133225.tif 000005